(57)【特許請求の範囲】
【請求項１】
デッキボードに穿設された持ち手用の開口を囲む所定の領域のデッキボードの肉厚を、他の部分の肉厚より厚くするとともに、内部側の開口角部にアールが形成されていることを特徴とする合成樹脂製パレット。
【請求項２】
肉厚部の肉厚が、持ち手用の開口方向に向かって、暫時、薄くなっており、持ち手用の開口方向に傾斜した傾斜面が形成されていることを特徴とする請求項１に記載の合成樹脂製パレット。
【発明の詳細な説明】
【０００１】
【発明の属する技術分野】
本発明は、物品を載置して運搬、保管等に供される合成樹脂製パレットに関するものである。
【０００２】
【従来の技術】
従来、合成樹脂製パレットのデッキボードに複数の持ち手用の開口を形成し、該開口に手を入れて、合成樹脂製パレットを持ち上げ、運搬するようにした合成樹脂製パレットが知られている（例えば、特開平９−１６９３３６号公報等参照）。
【０００３】
【発明が解決しようとする課題】
上述した従来の合成樹脂製パレットにおいては、デッキボードの裏面に、持ち手用の開口に沿ってリブが形成されているために、該開口に手を入れて、合成樹脂製パレットを持ち上げた際に、リブが手に当たり、手が痛くなるという問題があった。
【０００４】
また、デッキボードの裏面に、持ち手用の開口に沿ってリブが形成されていると、溜まった雨水や洗浄水やゴミ等が、リブがあるために排出されにくいという問題があった。この問題は、持ち手用の開口が桁部に形成されている場合に、特に顕著になる。
【０００５】
本発明の目的は、上述した従来の合成樹脂製パレットが有する課題を解決することにある。
【０００６】
【課題を解決するための手段】
本発明は、上述した目的を達成するために、第１には、デッキボードに穿設された持ち手用の開口を囲む所定の領域のデッキボードの肉厚を、他の部分の肉厚より厚くするとともに、内部側の開口角部にアールを形成したものであり、第２には、肉厚部の肉厚が、持ち手用の開口方向に向かって、暫時、薄くなっており、持ち手用の開口方向に傾斜した傾斜面が形成されているものである。
【０００７】
【実施例】
先ず最初に、図１を用いて、一例としての合成樹脂製パレットＰについて説明する。
【０００８】
１は、上部デッキボードであり、２は下部デッキボードであり、上部デッキボード１と下部デッキボード２とは、同一形状に、射出成形等により成形されている。上部デッキボード１と下部デッキボード２とには、一方の相対する辺に沿って平行に形成された端部桁１ａ、２ａと、該端部桁１ａ、２ａに平行で、且つ、中央部に形成された中央桁１ｂ、２ｂとが形成されており、端部桁１ａ、２ａと中央桁１ｂ、２ｂの端面を、それぞれ、溶着接合することにより、合成樹脂製パレットＰが形成されている。そして、端部桁１ａ、２ａと中央桁１ｂ、２ｂとの間には、２つのフォーク差込み口３が形成されており、所謂、２方差しの合成樹脂製パレットＰが形成されている。
【０００９】
４は、上部デッキボード１及び下部デッキボード２に穿設された、手が挿入可能な大きさを有する持ち手用の開口であり、少なくとも、２つ形成されており、それぞれの持ち手用の開口４に手を入れて、合成樹脂製パレットＰを持ち上げ、運搬することができるように構成されている。
【００１０】
本実施例においては、持ち手用の開口４を囲む所定の領域のデッキボードの肉厚を、他の部分の肉厚より厚くして肉厚部４ａを形成するとともに、合成樹脂製パレットＰの内部側の開口４の角部にアール４ｂを形成したものである。肉厚部４ａの領域は、例えば、持ち手用の開口４から親指以外の４本の指を入れて、開口４に挿入された４本の指の第２関節より先の部分或いは第３関節より先の部分により、合成樹脂製パレットＰを持ち上げる際に、開口４に挿入された４本の指の第２関節より先の部分或いは第３関節より先の部分が接触する領域に、少なくとも、肉厚部４ａを形成することが好ましい。更に、肉厚部４ａは、デッキボードの裏面方向に、デッキボードを厚くして形成し、デッキボードの表面は面一に形成する。
【００１１】
また、本実施例においては、上部デッキボード１及び下部デッキボード２には、持ち手用の開口４を、所定の距離を置いて囲むように、角柱状の垂直リブ１ｃ、２ｃが形成されており、上部デッキボード１の角柱状の垂直リブ１ｃと下部デッキボード２の角柱状の垂直リブ２ｃの端面が溶着接合されて、溶着接合された角柱状の垂直リブ１ｃ、２ｃにより、空間部５が形成されており、該空間部５内に位置する領域のデッキボードが肉厚部４ａに形成されている。このように、上部デッキボード１の角柱状の垂直リブ１ｃと下部デッキボード２の角柱状の垂直リブ２ｃの先端部を溶着接合することにより、上部デッキボード１と下部デッキボード２との剥離抵抗が向上し、開口に手を入れて、合成樹脂製パレットを持ち上げた際に、上部デッキボード１と下部デッキボード２の溶着接合部分が剥離するようなことが防止できる。更に、上部デッキボード１の角柱状の垂直リブ１ｃと下部デッキボード２の角柱状の垂直リブ２ｃの先端部が溶着接合されているので、隣接する他の桁内へ雨水や洗浄水やゴミ等が侵入する恐れもない。
【００１２】
一例として、持ち手用の開口４を囲む領域のデッキボードの肉厚部４ａの肉厚は、開口４を囲む領域以外のデッキボードの肉厚の１．５〜３倍程度が好ましい。例えば、開口４を囲む領域以外のデッキボードの肉厚が、３．５ｍｍの場合には、開口４を囲む領域のデッキボードの肉厚部４ａの肉厚は、５〜１０ｍｍの範囲にあることが好ましい。１．５倍より少ないと、肉厚の程度が十分でなく、開口４の角部にアール４ａを形成しても、手が痛いことになり、また、３倍を越えると、射出成形後の冷却工程で、この部分にひけが起こり、変形することになる。
【００１３】
図５に示されている実施例は、肉厚部４ａの肉厚が、持ち手用の開口４方向に向かって、暫時、薄くなっており、上部デッキボード１の場合には、肉厚部４ａの下面４ａ’が、上方に向う傾斜面として形成されているものであり、また、下部デッキボード２の場合には、肉厚部４ａの上面４ａ”が、下方に向う傾斜面として形成されているものである。このような構成とすることにより、空間部５内に入った雨水や洗浄水やゴミ等が、肉厚部４ａに溜まるようなことがない。この実施例においても、合成樹脂製パレットＰの内部側の開口４の角部にはアール４ｂが形成されている。
【００１４】
なお、上述した実施例においては、２方差しの合成樹脂製パレットを例に、本発明を説明したが、当然のことながら、４方差しの合成樹脂製パレットに適用することもできる。
【００１５】
【発明の効果】
本発明は、以上説明した構成を有しているので、以下に記載する効果を奏するものである。
【００１６】
持ち手用の開口に手を入れて、合成樹脂製パレットを持ち上げる際に、手が痛くなるようなことが防止できる。
【００１７】
雨水や洗浄水やゴミ等が、合成樹脂樹脂製パレット内に溜まるようなことが防止でき、従って、合成樹脂樹脂製パレットの乾燥が速められるとともに、合成樹脂樹脂製パレットを清潔に保つことができる。
【図面の簡単な説明】
【図１】図１は本発明の合成樹脂製パレットの斜視図である。
【図２】図２は本発明の合成樹脂製パレットを構成する上部デッキボード或いは下部デッキボードの裏面図である
【図３】図３は図１のＩ−Ｉ線に沿った側断面図である。
【図４】図４は図１のＩ−Ｉ線に沿った要部拡大側断面図である。
【図５】図５は本発明の他の実施例を示す図４と同様の要部拡大側断面図である。
【符号の説明】
Ｐ・・・・・・・・合成樹脂製パレット
１・・・・・・・・上部デッキボード
２・・・・・・・・下部デッキボード
４・・・・・・・・持ち手用の開口
【図１】
0004018265.tif 000002
【図２】
0004018265.tif 000003
【図３】
0004018265.tif 000004
【図４】
0004018265.tif 000005
【図５】
0004018265.tif 000006